【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
マンガン（Ｍｎ）と、マグネシウム（Ｍｇ）、亜鉛（Ｚｎ）、銅（Ｃｕ）、鉄（Ｆｅ）、カルシウム（Ｃａ）、カドミウム（Ｃｄ）及びアルミニウム（Ａｌ）からなる群から任意に選択される１種の金属又は数種の金属を蓄積したシマテイカズラ属（Alyxia）、アカウキグサ属（Azolla）、ベアウプレア属（Beauprea）、ベアウプレオプシス属（Beaupreopsis）、カンコモドキ属（Bridelia）、タヌキマメ属（Crotalaria）、コシダ属（Dicranopteris）、ヤブレガサウラボシ属（Dipteris）、フトモモ属（Eugenia）、ウラジロ属（Gleichenia）、ゴッシア属（Gossia）、マカダミア属（Macadamia）、ニシキギ科（Maytenus）、マツ属（Pinus）、ヤマゴボウ属（Phytolacca）、スペルマコン属（Spermacone）、ステノカルプス属（Stenocarpus）、ヴィロチア属（Virotia）又はハゴロモノキ属（Grevillea）のうちの１つの属に属する１つの植物又は植物の一部の熱処理の後における使用であって、少なくとも１つの前記の単一金属剤又は多金属剤を含む組成物を調製するためであり、前記金属剤の金属は、前記植物に由来する金属から選択した１種の金属又は数種の金属であり、前記組成物は、実質的に有機物を欠いており、前記金属剤を含む有機合成反応を実施するための組成物の使用。
【請求項２】
マンガン（Ｍｎ）と、マグネシウム（Ｍｇ）亜鉛（Ｚｎ）、銅（Ｃｕ）、鉄（Ｆｅ）、カルシウム（Ｃａ）、カドミウム（Ｃｄ）及びアルミニウム（Ａｌ）から任意に選択される１種の金属又は数種の金属とを蓄積し、少なくとも前記の単一金属剤又は多金属剤を含むシマテイカズラ属（Alyxia）、アカウキグサ属（Azolla）、ベアウプレア属（Beauprea）、ベアウプレオプシス属（Beaupreopsis）、カンコモドキ属（Bridelia）、タヌキマメ属（Crotalaria）、コシダ属（Dicranopteris）、ヤブレガサウラボシ属（Dipteris）、フトモモ属（Eugenia）、ウラジロ属（Gleichenia）、ゴッシア属（Gossia）、ヒマワリ属（Helanthius）、マカダミア属（Macadamia）、ニシキギ科（Maytenus）、マツ属（Pinus）、スペルマコン属（Spermacone）、ステノカルプス属（Stenocarpus）、ヴィロチア属（Virotia）又はハゴロモノキ属（Grevillea）から選択される１つの属に属する植物又は植物の一部を熱処理して調製した組成物の使用であって、前記の単一金属剤又は多金属剤の金属は、前記植物に由来する金属から選択され、前記組成物は実質的に有機物を欠いており、前記金属剤が触媒として関与する有機合成反応を実施するための組成物の使用。
【請求項３】
マンガン（Ｍｎ）と、マグネシウム（Ｍｇ）亜鉛（Ｚｎ）、銅（Ｃｕ）、鉄（Ｆｅ）、カルシウム（Ｃａ）、カドミウム（Ｃｄ）及びアルミニウム（Ａｌ）から任意に選択される１種の金属又は数種の金属を蓄積し、少なくとも１つの前記の単一金属剤又は多金属剤を含むビュープレア グラシリス（Beauprea gracilis）、ビュープレア モンタナ（Beauprea montana）、ビュープレオプシス パニキュラータ（Beaupreopsis paniculata）、グラシニア アンプレキシカウリス（Garcinia amplexicaulis）、グレヴィレア エクサル（Grevillea exul）、グレビレア エクサル サブスピーシーズ ルビギノサ（Grevillea exul ssp. rubiginosa）、グレビレア エクサル サブスピーシーズ エクサル（Grevillea exul ssp. exul）、グレビレア ジリヴィレイ（Grevillea gillivrayi）、グレヴィレア メイスネリ（Grevillea meissneri）、メイテヌス フォーニエリ ドラキアナ（Maytenus fournieri drakeana）、メイテナス フォーニエリ フォーニエリ（Maytenus fournieri fournieri）、スペルマコセ ラティフォリア アウブル（Spermacoce latifolia Aubl）、ジクラノプテリス リネアリス（Dicranopteris linearis）（別名：グレイチェニア リネアリス（Gleichenia linearis））、ブリデリア フェルギニア（Bridelia ferruginea）、
ランタナ カマラ（Lantana camara）、プソロスペルマム フェブリフガム スパハ（Psorospermum febrifugum Spach）、マカダミア ニューロフィラ（Macadamia neurophylla）、フィトラカ アメリカナ（Phytolacca americana）、ゴッシア ビドウィリイ（Gossia bidwillii）、フィトラカ アシノサ ロクスブ（Phytolacca acinosa Roxb）、ヴィロチア ニューロフィラ（Virotia neurophylla）、マカダミア インテグリフォリア（Macadamia integrifolia）、マカダミア テトラフィラ（Macadamia tetraphylla）、エリューセロコッカス シアドフィロイデス（Eleutherococcus sciadophylloides）（別名：アカントパナクス シアドフィロイデス（Acanthopanax sciadophylloides））、エリューセロコッカスシアドフィロイデス（Eleutherococcus sciadophylloides）、イレクス クリナタ（Ilex crenata）、ゴッシア バマゲンシス（Gossia bamagensis）、ゴッシア フラグランティシマ（Gossia fragrantissima）、ゴッシア サンコウシオラム（Gossia sankowsiorum）、ゴッシア ゴノクラダ（Gossia gonoclada）、メイテナス カンニンガミイ（Maytenus cunninghamii）、チェンギオパナクス シアドフィロイデス（Chengiopanax sciadophylloides）、フィトラカ アメリカナ（Phytolacca americana）、オーストロミルタス ビドウィリイ（Austromyrtus bidwillii）、アリキシア ルブリコーリア（Alyxia rubricaulia）、アゾラ カロリニアナ（Azolla caroliniana）、クロタラリア センパーフロレンス（Crotalaria semperflorens）、クロタラリア クラーケイ（Crotalaria clarkei）、ディプテリス コンジュゲータ（Dipteris conjugata）、エリューセロコッカス シアドフィロイデス（Eleutherococcus sciadophylloides）、イレクス クリナタ（Ilex crenata）、ユーゲニア クルシオイデス（Eugenia clusioides）、ピナス シルヴェストリス（Pinus sylvestris）、ステノカルプス ンドゥネイ（Stenocarpus ndnei）、ヴィロチア ニューロフィラ（Virotia neurophylla）、シマ スペルバ（Schima superba）、ポリゴナム ハイドロパイパー（Polygonum hydropiper）、スペルマコセ ラティフォリア アウブル（Spermacoce latifolia Aubl）、ジクラノプテリス リネアリス（Dicranopteris linearis）（別名：グレイチェニア リネアリス（Gleichenia linearis））、ブリデリア フェルギニア（Bridelia ferruginea）、ランタナ カマラ（Lantana camara）及びプソロスペルマム フェブリフガム スパハ（Psorospermum febrifugum Spach）から選択される属の１つ
に属する１つの植物又は植物の一部を熱処理して調製した組成物の使用に関し、前記の単一金属剤又は多金属剤の金属は、前記植物に由来する金属から選択され、前記組成物は、実質的に有機物を欠いており、前記金属剤が触媒として前記の剤を含み有機合成反応を実施するための請求項２に記載の、組成物の使用。
【請求項４】
マンガン（Ｍｎ）と、カルシウム（Ｃａ）、マグネシウム（Ｍｇ）、鉄（Ｆｅ）及びアルミニウム（Ａｌ）からなる群から任意に選択される１種の金属又は数種の金属とを蓄積したビュープレア グラシリス、ビュープレア モンタナ、ビュープレオプシス パニキュラータ、グラシニア アンプレキシカウリス、グレヴィレア エクサル、グレビレア エクサル サブスピーシーズ ルビギノサ、グレビレア エクサル サブスピーシーズ エクサル、グレビレア ジリヴィレイ、グレヴィレア メイスネリ、メイテヌス フォーニエリ ドラキアナ、メイテナス フォーニエリ フォーニエリ、スペルマコセ ラティフォリア アウブル、ジクラノプテリス リネアリス（別名：グレイチェニア リネアリス）、ブリデリア フェルギニア、ランタナ カマラ、プソロスペルマム フェブリフガム スパハ、マカダミア ニューロフィラ、フィトラカ アメリカナ、ゴッシア ビドウィリイ、フィトラカ アシノサ ロクスブ、ヴィロチア ニューロフィラ、マカダミア インテグリフォリア、マカダミア テトラフィラ、エリューセロコッカス シアドフィロイデス（別名：アカントパナクス シアドフィロイデス）、エリューセロコッカス シアドフィロイデス、イレクス クリナタ、ゴッシア バマゲンシス、ゴッシア フラグランティシマ、ゴッシア サンコウシオラム、ゴッシア ゴノクラダ、メイテナス カンニンガミイ、チェンギオパナクス シアドフィロイデス、フィトラカ アメリカナ、オーストロミルタス ビドウィリイ、アリキシアルブリコーリア、アゾラ カロリニアナ、クロタラリア センパーフロレンス、クロタラリア クラーケイ、ディプテリス コンジュゲータ、エリューセロコッカス シアドフィロイデス、イレクス クリナタ、ユーゲニア クルシオイデス、ピナス シルヴェストリス、ステノカルプス ンドゥネイ、ヴィロチア ニューロフィラ、シマ スペルバ、ポリゴナム ハイドロパイパー、スペルマコセ ラティフォリア アウブル、ジクラノプテリス リネアリス（別名：グレイチェニア リネアリス）、ブリデリア フェルギニア、ランタナ カマラ及びプソロスペルマム フェブリフガム スパハ、好ましくはハゴロモノキ属、特にグレビレア エクサル サブスピーシーズ ルビギノサ、グレビレア エクサル サブスピーシーズ エクサル及びグレビレア ジリヴィレイから選択される１つの植物又は植物の一部の熱処理後の使用に関し、前記植物に由来する有効な前記の単一金属剤又は多金属剤を少なくとも１つを含む組成物を調製するための、予めろ過され及び／又は樹脂で精製され及び／又は酸化され及び／又は担持体に固定され及び／又はキレートされ及び／又は酸処理後の電気分解を受け、前記金属剤が触媒として関与する有機合成反応を実施するための、前記植物又は植物の一部の熱処理後の請求項１に記載の使用。
【請求項５】
前記の単一金属剤又は多金属剤が、酸化度（ＩＩ）を有するマンガン（Ｍｎ（ＩＩ））又は酸化度（ＩＩＩ）を有するマンガン（Ｍｎ（ＩＩＩ））と、マグネシウム（Ｍｇ）、亜鉛（Ｚｎ）、銅（Ｃｕ）、鉄（Ｆｅ）、カルシウム（Ｃａ）、カドミウム（Ｃｄ）及びアルミニウム（Ａｌ）から任意に選択される１種の金属又は数種の金属とで構成される触媒である、請求項１〜４のいずれか１つに記載の使用。
【請求項６】
前記の単一金属剤又は多金属剤は、酸化度（ＩＩＩ）（Ｍｎ（ＩＩＩ））又は酸化度（ＩＶ）（Ｍｎ（ＩＶ））を有するマンガン（Ｍｎ）と、マグネシウム（Ｍｇ）、亜鉛（Ｚｎ）、銅（Ｃｕ）、鉄（Ｆｅ）、カルシウム（Ｃａ）、カドミウム（Ｃｄ）、及びアルミニウム（Ａｌ）からなる群から選択される１種の金属又は複数種の金属とを含む試薬である、請求項１〜５のいずれか１つに記載の使用。
【請求項７】
マンガン（Ｍｎ）と、マグネシウム（Ｍｇ）、亜鉛（Ｚｎ）、銅（Ｃｕ）、鉄（Ｆｅ）、カルシウム（Ｃａ）、カドミウム（Ｃｄ）及びアルミニウム（Ａｌ）から任意に選択される１種の金属又は数種の金属を蓄積したハゴロモノキ属、特にグレビレア エクサル サブスピーシーズ ルビギノサ、グレビレア エクサル サブスピーシーズ エクサル及びグレビレア ジリヴィレイ、好ましくはグレビレア エクサル サブスピーシーズ エクサルから選択される１つの植物又は植物の一部を熱処理に続いて酸処理及び任意に酸化及び／又は電気分解後の、請求項１〜６のいずれか１つに記載の使用。
【請求項８】
前記の酸処理が、特に、好ましくは塩酸、特にＨＣｌガス、１Ｎ〜１２ＮＨＣｌ、硫酸、酢酸、トリフルオロメタンスルホン酸、硝酸、過塩素酸、リン酸、トリフルオロ酢酸又はｐ−トルエンスルホン酸を用いて実施される、請求項１〜７のいずれか１つに記載の使用。
【請求項９】
前記組成物が、特に、セライトのような不活性な無機固体でのろ過及び任意に続くイオン交換樹脂を用いて精製される、請求項１〜４のいずれか１つに記載の使用。
【請求項１０】
Ｍｎの濃度が、植物グレビレア エクサル サブスピーシーズ エクサルの乾燥した葉において、約１５，０００〜約２８０，０００ｍｇ／植物乾燥重量ｋｇの間である、請求項１〜９のいずれか１つに記載の使用。
【請求項１１】
有機反応、特に複素環の構築、カルボニル化された誘導体の保護、好ましくはアルデヒド及び芳香族求電子置換、好ましくはポルフィリンの構築を行うために、シマテイカズラ属、アカウキグサ属、ベアウプレア属、ベアウプレオプシス属、カンコモドキ属、タヌキマメ属、コシダ属、ヤブレガサウラボシ属、フトモモ属、ウラジロ属、ゴッシア属、ハゴロモノキ属、ヒマワリ属、マカダミア属、ニシキギ科、マツ属、スペルマコン属、ステノカルプス属及びヴィロチア属から選択した属の１つに属している、マンガンの超蓄積体である金属耐性植物の抽出物から得られるマンガン（ＩＩ）を含む、請求項１〜１０のいずれか１つに記載の触媒の使用。
【請求項１２】
請求項１〜１１のいずれか１つに記載の少なくとも１つの金属触媒、好ましくは多金属触媒を含む前記組成物が、芳香族求電子置換反応、ヘテロ環の構築、カルボニル化された誘導体の調製及び保護、ラジカル酸化、エポキシ化、ヘテロ環式基又は芳香族炭素環式基のα位のアルコール又は二重結合の酸化、ポリオールの酸化的開裂、ベンザミン類の酸化、ヘテロ原子を任意の含む不飽和及び／又は共役した環状誘導体の酸化的芳香族の脱水素、エノール化される化合物の直接的なハロゲン化、及びジヒドロピリジン（ＤＨＰ）を生成する、アルデヒド、β−ジカルボニル化合成物及びアンモニウム源との間のルイス酸触媒におけるハンチ反応から選択される、ルイス酸触媒による官能基転換の有機合成反応の実施のための、請求項１〜１１のいずれか１つに記載の使用。
【請求項１３】
実質的に有機物を欠いており、酸化度（ＩＩ）を有するマンガン（Ｍｎ（ＩＩ））、酸化度（ＩＩＩ）を有するマンガン（Ｍｎ（ＩＩＩ））又は酸化度（ＩＶ）を有するマンガン（Ｍｎ（ＩＶ））と、マグネシウム（Ｍｇ）、亜鉛（Ｚｎ）、銅（Ｃｕ）、鉄（Ｆｅ）、カルシウム（Ｃａ）、カドミウム（Ｃｄ）及びアルミニウム（Ａｌ）から任意に選択される１種の金属又は数種の金属を含み、前記の単一金属剤又は多金属剤を含む組成物の調製方法であり、以下の工程：
ａ）マンガン（Ｍｎ）と、マグネシウム（Ｍｇ）、亜鉛（Ｚｎ）、銅（Ｃｕ）、鉄（Ｆｅ）、カルシウム（Ｃａ）、カドミウム（Ｃｄ）及びアルミニウム（Ａｌ）から任意に選択される１種の金属又は数種の金属を蓄積したシマテイカズラ属、アカウキグサ属、ベアウプレア属、ベアウプレオプシス属、カンコモドキ属、タヌキマメ属、コシダ属、ヤブレガサウラボシ属、フトモモ属、ウラジロ属、ゴッシア属、ヒマワリ属、マカダミア属、ニシキギ科、マツ属、ヤマゴボウ属、スペルマコン属、ステノカルプス属、ヴィロチア属又はハゴロモノキ属から選択される属の１つに属する特にグレビレア エクサル サブスピーシーズ ルビギノサ、グレビレア エクサル サブスピーシーズ エクサル及びグレビレア ジリヴィレイ植物又は植物抽出物のバイオマスの脱水処理、
ｂ）工程ａ）で得られた植物又は植物抽出物の乾燥したバイオマスの粉砕、
ｃ）好ましくは５００℃未満の温度での、粉砕混合物のオーブン中での熱処理、
及び、所望により、好ましくは、
ｄ）工程ｃ）で得られた灰を、好ましくは塩酸、硝酸、硫酸、酢酸又はトリフルオロメタンスルホン酸、硝酸、過塩素酸、ｐ−トルエンスルホン酸、リン酸、及びトリフルオロ酢酸から選択される酸での処理、
その後、所望により、乾燥残留物を得るために、好ましくは減圧下での得られた溶液又は懸濁液の脱水処理、
及び工程ｄ）で得られた溶液又は懸濁液は、所望により、
ｅ）工程ｄ）で得られたものが懸濁液の場合は、乾燥残留物を得るために、セライトのような不活性な無機固体でろ過、又は遠心分離で不溶物を除去し、所望により、除去に続いて、好ましくは減圧下で得られた溶液の脱水、
及び／又は
ｆ）乾燥残留物を得るために、懸濁液をイオン交換樹脂による完全又は部分的に精製し、所望により、精製に続けて、好ましくは減圧で得られた溶液を脱水し、
ｇ）酸化度（ＩＩ）を有するマンガン（Ｍｎ（ＩＩ））を含む、工程ｃ）、ｄ）、ｅ）又はｆ）で得られた乾燥残留物を、所望により、酸化度（ＩＩ）を、
ＯＨ−イオンの存在下、空気中の二原子酸素の作用に付し、無水酢酸のような無水物での処理、
もしくは、酸化度（ＩＩ）を有するポルフィナト−マンガン複合体の形成を得るために、アルデヒド存在下、任意に置換されたピロールの作用を受けさせ、空気中の二原子酸素の作用を受けさせ、
得られた生成物は、特にマグネシウム（Ｍｇ）、亜鉛（Ｚｎ）、銅（Ｃｕ）、鉄（Ｆｅ）、カルシウム（Ｃａ）、カドミウム（Ｃｄ）及びアルミニウム（Ａｌ）から任意に選択される少なくとも１つの金属の、塩化物、硫酸塩又は酢酸塩のような塩又は酸化物に任意に関連する酸化度（ＩＩＩ）を有するマンガン（Ｍｎ（ＩＩＩ））を含む乾燥残留物を得るために、好ましくは減圧で脱水処理を受けさせ、
ｈ）工程ｃ）、ｄ）、ｅ）又はｆ）で得られた乾燥した生成物は、所望により、酸化度（ＩＩ）を有するマンガンを、酸化度（ＩＶ）有するマンガン（Ｍｎ（ＩＶ））に変換するために、ＯＨ−イオン存在下で、空気中の二原子酸素と反応させ、また所望により、得られた懸濁液は、酸化度（ＩＶ）を有するマンガン（Ｍｎ（ＩＶ））と、マグネシウム（Ｍｇ）、亜鉛（Ｚｎ）、銅（Ｃｕ）、鉄（Ｆｅ）、カルシウム（Ｃａ）、カドミウム（Ｃｄ）及びアルミニウム（Ａｌ）から任意に選択される少なくとも１つの金属の塩化物又は酢酸塩のような塩類あるいは酸化物に任意に関連し、Ｍｎ３Ｏ４又はＭｎ２Ｏ３の形態のマンガンを実質的に欠いている［＜３％］試薬を得るために、酸化処理後、好ましくは減圧で脱水処理を受けさせ、
ｉ）工程ｃ）、ｄ）、ｅ）又はｆ）で得られた乾燥形態にある生成物を、所望により、実質的にその他の金属を欠いており、ＭｎＯ２の形態で存在するの酸化度（ＩＶ）を有するマンガン（Ｍｎ（ＩＶ））を得るために、酸性媒体中で電気分解を受けさせ、
ｊ）工程ｃ）、ｄ）、ｅ）、ｆ）、ｇ）又はｈ）で得られた乾燥形態にある生成物を、所望により、担持された触媒を得るために、好ましくはシリカ、モンモリロナイト、ポリガラクツロン酸、キトサン、及びこれらの混合物から選択される１つの担持体を含む酸性媒体で混和又は処理し、
ｋ）工程ｃ）、ｄ）、ｅ）、ｆ）、ｇ）又はｈ）で得られた乾燥形態にある生成物を、所望により、キレートされた試剤、好ましくはポルフィリンでキレートされた、好ましくは触媒を得るために、任意のマイクロウェーブの作用下、リガンド、好ましくは有機リガンドと反応させることを含む、組成物の調製方法。
【請求項１４】
実質的に有機物を欠き、酸化度（ＩＩ）、（ＩＩＩ）又は（ＩＶ）を有するマンガン（Ｍｎ）と、カルシウム（Ｃａ）、マグネシウム（Ｍｇ）、鉄（Ｆｅ）、アルミニウム（Ａｌ）から任意に選択される１種の金属又は数種の金属を含み、この方法は、ハゴロモノキ属、特にグレビレア エクサル サブスピーシーズ ルビギノサ、グレビレア エクサル サブスピーシーズ エクサル及びグレビレア ジリヴィレイ、好ましくはグレビレア エクサル サブスピーシーズ エクサルから選択される１つの植物又は植物の一部に始まり実施されることを特徴とする、組成物の製造のための請求項１３に記載の方法。
【請求項１５】
有機反応、特にラジカル酸化又はアルケン酸化、特にアルケンのエポキシ化を実施するために、過酸化水素、次亜塩素酸ソーダ、ｔ−ブチルペルオキシド又はフェニルイオキシゲンハイポイオダイトのような１つ又は複数の共酸化剤が任意に存在下に、
ＯＨ−イオンの存在下、空気中の二原子酸素の作用により、次いで無水酢酸のような無水物を用いる処理によるか、
それとも、酸化度（ＩＩ）を有するポルフィナト−マンガン複合体の形成を得るためのアルデヒド存在下、任意に置換されたピロールの作用を用い、空気中の二原子酸素の作用に付され、
Ｍｎ超蓄積体である金属耐性植物の抽出物から得られ得るＭｎ（ＩＩＩ）を含む触媒の、請求項１〜１２のいずれか１つに記載の使用。
【請求項１６】
酸化度（ＩＩＩ）を有するポルフィナト−マンガン複合体の形態にあり、バニリンを得るために、好ましくはアセトニトリル中イソオイゲノール又はフェルラ酸に作用させるために作られ、
過酸化水素、次亜塩素酸ソーダ、ｔ−ブチルペルオキシド又はフェニルイオキシゲンハイポイオダイト、のような１つ又は複数の共酸化剤の任意の存在下に、作用させるために作られたことを特徴とし、
ＯＨ−イオンの存在下、空気中の二原子酸素との作用により、次いで無水酢酸のような無水物を用いる処理によるか、
それとも、酸化度（ＩＩ）を有するポルフィナト−マンガン複合体の形成を得るためのアルデヒド存在下、任意に置換されたピロールの作用を用い、空気中の二原子酸素の作用に付されて実施される、
Ｍｎ超蓄積体である金属耐性植物の抽出物から得られるＭｎ（ＩＩＩ）を含む触媒の、請求項１〜１２のいずれか１つに記載の触媒の使用。
【請求項１７】
有機反応、特にヘテロ環式もしくは芳香族炭素環式基又は二重結合のα位にあるアルコールの酸化、ポリオールの酸化的開裂、ベンザミン類の酸化、ヘテロ原子を任意に含む不飽和及び／又は共役した環式誘導体の酸化的芳香族脱水素、エノール化される化合物の直接ハロゲン化を実施するための、マグネシウム（Ｍｇ）、亜鉛（Ｚｎ）、銅（Ｃｕ）、鉄（Ｆｅ）、カルシウム（Ｃａ）、カドミウム（Ｃｄ）及びアルミニウム（Ａｌ）から特に選択される少なくとも１つの金属の塩化物又は酢酸塩のような塩あるいは酸化物に、任意に関連付けられる酸化度（ＩＶ）を有するマンガン（Ｍｎ（ＩＶ））を含む試薬を得るために、ＯＨ−イオンの存在下に、空気中の二原子酸素の作用により、そして所望により、酸処理後、次いで好ましくは減圧下での脱水により、Ｍｎの超蓄積体である金属耐性植物の抽出物から得られ得る、実質的にＭｎ３Ｏ４又はＭｎ２Ｏ３の形態にあるマンガンを欠いているＭｎ（ＩＶ）を含む試薬の、請求項１〜１２のいずれか１つに記載の試薬の使用。
【請求項１８】
実質的にＭｎ３Ｏ４又はＭｎ２Ｏ３の形態にあるマンガンを欠いているＭｎ（ＩＶ）を含み、ＯＨ−イオンの存在下に、空気中の二原子酸素の作用により、そして所望により、酸処理、次いで好ましくは減圧下での脱水により、ハゴロモノキ属、特にグレビレア エクサル サブスピーシーズ ルビギノサ、グレビレア エクサル サブスピーシーズ エクサル及びグレビレア ジリヴィレイから選択される１つの植物又は植物の一部の抽出物から得られる、マグネシウム（Ｍｇ）、亜鉛（Ｚｎ）、銅（Ｃｕ）、鉄（Ｆｅ）、カルシウム（Ｃａ）、カドミウム（Ｃｄ）、アルミニウム（Ａｌ）から特に選択される少なくとも１つの金属の塩化物又は酢酸塩のような塩あるいは酸化物に任意に関連付けられ、バニリンを得るために、好ましくは還流下に酢酸エチル中で（３−メトキシ−４−ヒドロキシ）ベンゼンメタノールに作用するために作られた試薬の、請求項１〜１２のいずれか１つに記載の試薬の使用。
【請求項１９】
実質的にＭｎ３Ｏ４又はＭｎ２Ｏ３の形態にあるマンガンを欠いているＭｎ（ＩＶ）を含み、ＯＨ−イオンの存在下に、空気中の二原子酸素の作用により、そして所望により、酸処理、次いで好ましくは減圧下での脱水により、ハゴロモノキ属、特にグレビレア エクサル サブスピーシーズ ルビギノサ、グレビレア エクサル サブスピーシーズ エクサル及びグレビレア ジリヴィレイから選択される１つの植物又は植物の一部の抽出物から得られる、マグネシウム（Ｍｇ）、亜鉛（Ｚｎ）、銅（Ｃｕ）、鉄（Ｆｅ）、カルシウム（Ｃａ）、カドミウム（Ｃｄ）、アルミニウム（Ａｌ）から特に選択される少なくとも１つの金属の塩化物又は酢酸塩のような塩あるいは酸化物に関連付けられ、ゲラニアールを得るためにゲラニオールに作用するために作られた試薬であることを特徴とする試薬の、請求項１〜１２及び１５のいずれか１つに記載の試薬の使用。
【請求項２０】
請求項１３に記載の方法を実施することにより得られた組成物。
【請求項２１】
実質的に有機物、特にクロロフィルを欠いており、少なくとも１種の金属触媒を含み、前記金属は、２５,０００ｐｐｍより多い量、好ましくは５０,０００ｐｐｍより多い量、特に２００,０００ｐｐｍより多い量のＭｎ（ＩＩ）の形態にあるマンガン（Ｍｎ）、カルシウム（Ｃａ）、マグネシウム（Ｍｇ）、鉄（Ｆｅ）、アルミニウム（Ａｌ（ＩＩＩ））、又はこれらの金属の塩酸塩、硫酸塩の形態、又は、例えば、複合体のようなその他の金属の塩化物を有する複合体、例えば塩化第二鉄ＦｅＣｌ３の形態、さらに、セロビオース及び／又はグルコースのようなセルロース分解断片、及び／又は５−ヒドロキシメチルフルフラール及び任意のギ酸のようなグルコース分解生成物を含み、さらに、約２重量％未満、特に約０.２重量％未満の炭素、特に約０.１０重量％を含む、請求項２０に記載の組成物。
【請求項２２】
実質的に有機物、特に、クロロフィルを欠いており、Ｍｎ（ＩＩＩ）又はＭｎ（ＩＶ）の形態にあるマンガン（Ｍｎ）から選択される少なくとも１つの金属性又は多金属性試薬を含み、カルシウム（Ｃａ）、マグネシウム（Ｍｇ）、鉄（Ｆｅ）及びＡｌ（ＩＩＩ）から好ましくは選択される１種以上の金属を含み、前記試薬は、塩化物、硫酸塩、又は酢酸塩のような塩の形態で存在し、又は、オキシドの形態で存在し、又はキレートの形態で、又は、例えば塩化第二鉄ＦｅＣｌ３であるその他の金属の塩化物との複合体の形態で存在する前記金属のうちの少なくとも１つを含む、請求項２０又は２１に記載の組成物。
【手続補正２】
【補正対象書類名】明細書
【補正対象項目名】０１３７
【補正方法】変更
【補正の内容】
【０１３７】
本発明はまた、有機反応、特に：
Ａ−ヘテロ環式もしくは芳香族炭素環式基又は二重結合のα位にあるアルコールの酸化、
Ｂ−ポリオールの酸化的開裂、
Ｃ−ベンザミン類の酸化、
Ｄ−ヘテロ原子を任意に含む不飽和及び／又は共役した環式誘導体の酸化的芳香族脱水素、
Ｅ−エノール化される化合物の直接ハロゲン化、
を実施するための、
【手続補正３】
【補正対象書類名】明細書
【補正対象項目名】０１３８
【補正方法】変更
【補正の内容】
【０１３８】
マグネシウム（Ｍｇ）、亜鉛（Ｚｎ）、銅（Ｃｕ）、鉄（Ｆｅ）、カルシウム（Ｃａ）、カドミウム（Ｃｄ）及びアルミニウム（Ａｌ）から特に選択される少なくとも１つの金属の塩化物又は酢酸塩のような塩あるいは酸化物に、任意に関連付けられる酸化度（ＩＶ）を有するマンガン（Ｍｎ（ＩＶ））を含む試薬を得るために、ＯＨ−イオンの存在下に、空気中の二原子酸素の作用により、そして所望により、酸処理後、次いで好ましくは減圧下での脱水により、Ｍｎの超蓄積体である金属耐性植物の抽出物から得られ得る、実質的にＭｎ３Ｏ４又はＭｎ２Ｏ３の形態にあるマンガンを欠いており、好ましくはＭｎ３Ｏ４又はＭｎ２Ｏ３の形態のマンガン３％未満を含むＭｎ（ＩＶ）を含む触媒の使用にも関する。
【手続補正４】
【補正対象書類名】明細書
【補正対象項目名】０１３９
【補正方法】変更
【補正の内容】
【０１３９】
Ａ−ヘテロ環式もしくは芳香族炭素環式基又は二重結合のα位にあるアルコールの酸化
ヘテロ環式もしくは芳香族炭素環式基又は二重結合のα位にあるアルコールの酸化は、ベンジルアルコールへのベンズアルデヒドの全酸化により説明される。そのような調製例は、以下の実験例の項に記載されている。同一条件下で、市販のＭｎＯ２がわずか微量のアルデヒドをもたらすことに注意すべきである。ＭｎＯ２とＦｅ（ＩＩＩ）の再構成された混合物は、同一条件下で２０％酸化をもたらす。
【手続補正５】
【補正対象書類名】明細書
【補正対象項目名】０１４１
【補正方法】変更
【補正の内容】
【０１４１】
この観点から、本発明はまた、実質的にＭｎ３Ｏ４又はＭｎ２Ｏ３の形態にあるマンガンを欠いており（百分率は規定される）Ｍｎ（ＩＶ）を含み、ＯＨ−イオンの存在下に、空気中の二原子酸素の作用により、そして所望により、酸処理、次いで好ましくは減圧下での脱水により、ハゴロモノキ属、特にグレビレア エクサル サブスピーシーズ ルビギノサ、グレビレア エクサル サブスピーシーズ エクサル及びグレビレア ジリヴィレイから選択される１つの植物又は植物の一部の抽出物から得られる、マグネシウム（Ｍｇ）、亜鉛（Ｚｎ）、銅（Ｃｕ）、鉄（Ｆｅ）、カルシウム（Ｃａ）、カドミウム（Ｃｄ）、アルミニウム（Ａｌ）から特に選択される少なくとも１つの金属の塩化物又は酢酸塩のような塩あるいは酸化物に任意に関連付けられ、バニリンを得るために、好ましくは還流下に酢酸エチル中で（３−メトキシ−４−ヒドロキシ）ベンゼンメタノールに作用するために作られた試薬であることを特徴とする、試薬の使用にも関する。